(57)【要約】【課題】凸部が大きいとピースの絵柄表示領域が狭くなるという問題に鑑み、ピース内の絵柄表示領域を拡大することが可能なジグソーパズルを提供する。【解決手段】ジグソーパズルは、凸部１０ｈと凹部１０ｊとが嵌合して連結される、複数の同一形状のピース１０を含む。ピース本体部１０ｂを有し、凸部１０ｈはピース本体部１０ｂから突出方向に突出するように設けられ、ピース本体部１０ｂの突出方向の寸法ａ１は、凸部１０ｈの突出寸法ａ２の８倍以上である。【選択図】図５
2019187563.tif 000002
【特許請求の範囲】
【請求項１】
凸部と凹部とが嵌合して連結される、複数の同一形状のピースを含むジグソーパズルであって、
ピース本体部を有し、前記凸部は前記ピース本体部から突出方向に突出するように設けられ、
前記ピース本体部の前記突出方向の寸法は、前記凸部の突出寸法の８倍以上であることを特徴とするジグソーパズル。
【請求項２】
前記凸部の横幅は、前記突出寸法の３倍以上であることを特徴とする請求項１に記載のジグソーパズル。
【請求項３】
前記凸部は、その根本の両側から続くふたつのくびれ部と、前記ふたつのくびれ部で挟まれる頭部とを含み、
前記頭部の横幅は、前記凹部の横幅よりも大きいことを特徴とする請求項１または２に記載のジグソーパズル。
【発明の詳細な説明】
【技術分野】
【０００１】
本発明は、組み立て・分解が可能なジグソーパズルに関する。
【背景技術】
【０００２】
一枚の絵柄を幾つかの小片に分解して、分解した小片を再び組み立てるジグソーパズルが知られている。本出願人は、例えば、特許文献１において、ジグソーパズルとその製造方法を開示している。特許文献１のジグソーパズルは、長方形の平板型の多数のピースからなり、一旦バラバラに分離したピースを、嵌め合わせてその絵柄を復元することにより、遊ぶように構成されている。
【先行技術文献】
【特許文献】
【０００３】
【特許文献１】特開２０１２−２４９８５１号公報
【発明の概要】
【発明が解決しようとする課題】
【０００４】
本発明者らはジグソーパズルについて以下のような認識を得た。
ジグソーパズルの各ピースは、多角形の各辺に凸部または凹部があり、その凸部等によって隣接するピースとかみ合うようになっている。ジグソーパズルのピースは、それぞれ異なる形状を有しており、全く同じ形をしたピースは含まない。このようなジグソーパズルは、ピース表面の絵柄とピースの形状とを手がかりに組み立てる。
【０００５】
このようなジグソーパズルでは、互いに異形のピースを組み立てて組立体を完成させるので、組立後の絵柄は一つであり、創造性を育む観点で十分でない。また、一度組立体を完成させると飽きてしまう特性もあった。つまり、ジグソーパズルには多様な絵柄を創造するという遊び方ができないという問題があった。
【０００６】
ジグソーパズルについて、各ピースに一定の意味のある絵柄を設け、この絵柄付きピースを自由に連結して物語や空間を創作しながら組み立てて遊ぶことが考えられる。この場合に、ピース内の絵柄を表示する領域が狭いと、絵柄が小さくなるとともに隣接する絵柄間の中間領域が間延びして、物語や空間の表現を損なうことが判明した。
これらから、本発明者らは、ジグソーパズルには、ピース内の絵柄を表示する領域を拡大する観点で改善すべき課題があることを認識した。
【０００７】
本発明は、こうした状況に鑑みてなされたものであり、その目的は、ピース内の絵柄を表示する領域を拡大することが可能なジグソーパズルを提供することにある。
【課題を解決するための手段】
【０００８】
上記課題を解決するために、本発明のある態様のジグソーパズルは、凸部と凹部とが嵌合して連結される、複数の同一形状のピースを含むジグソーパズルであって、ピース本体部を有し、凸部はピース本体部から突出方向に突出するように設けられ、ピース本体部の突出方向の寸法は、凸部の突出寸法の８倍以上である。
【０００９】
なお、以上の構成要素の任意の組み合わせや本発明の構成要素や表現を、方法、装置、システムなどの間で相互に置換したものもまた、本発明の態様として有効である。
【発明の効果】
【００１０】
本発明によれば、ピース内の絵柄を表示する領域を拡大することが可能なジグソーパズルを提供することができる。
【図面の簡単な説明】
【００１１】
【図１】実施の形態に係るジグソーパズルの平面図である。
【図２】図１のジグソーパズルのピースの平面図である。
【図３】図１のジグソーパズルのピースの側面図である。
【図４】比較例に係るジグソーパズルのピースを説明する図である。
【図５】図１のジグソーパズルのピースを説明する図である。
【図６】図２のピースの凸部の周辺を拡大して示す平面図である。
【図７】図２のピースの凹部の周辺を拡大して示す平面図である。
【図８】図２のピースの製造方法の一例を説明する図である。
【図９】図１のジグソーパズルの組立体を持上げた状態を示す図である。
【図１０】図１のジグソーパズルの組立体の評価結果を説明する図である。
【００１２】
以下、本発明を好適な実施の形態をもとに各図面を参照しながら説明する。実施の形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
［実施の形態］
図面を参照して実施の形態に係るジグソーパズル１００の構成について説明する。図１は、実施の形態に係るジグソーパズル１００の平面図である。説明の便宜上、図示のように、水平なある方向をＸ軸方向、Ｘ軸方向に直交する水平な方向をＹ軸方向、両者に直交する方向すなわち鉛直方向をＺ軸方向とするＸＹＺ直交座標系を定める。Ｘ軸、Ｙ軸、Ｚ軸のそれぞれの正の方向は、各図における矢印の方向に規定され、負の方向は、矢印と逆向きの方向に規定される。また、図１に示すように、水平面に設置したジグソーパズル１００を上側（紙面に垂直な方向）から視る視点を平面視という。このような方向の表記はジグソーパズル１００の使用姿勢を制限するものではなく、ジグソーパズル１００は任意の姿勢で使用されうる。
【００１４】
ジグソーパズル１００は、同一形状を有し互いに連結可能なピース１０を複数含む。図１の例では、１００個のピース１０が１０行（Ｘ軸方向）１０列（Ｙ軸方向）のマトリックス状に連結されている。以下、このように連結されたものを「組立体」という。ジグソーパズル１００は、ユーザが任意に設定した数のピース１０を連結して組立体８０を組立てるパズルである。したがって、９９個以下や１０１個以上のピース１０がマトリックス状に連結されてもよいし、組立体８０の形状は厳密なマトリックス配置でなく一部が突き出て一部がへこむような配置であってもよいし、組立体８０の輪郭形状は矩形でなくてもよい。
【００１５】
また、一旦完成した組立体８０に別のピース１０を追加連結して別の組立体８０を形成することもできる。各ピース１０の表面には独立して一つの意味をなす絵柄や模様が設けられてもよい。各ピース１０の絵柄は互いに異なっていてもよいし、一部が同じであってもよい。ジグソーパズル１００は、ピース１０を追加購入して、既購入のピース１０と一緒に組立てられてもよい。一例として、組立体８０は、ユーザの創作に基づき、人生の筋道など不確定なストーリーを表現した双六のようなボードゲームを形成することができる。このように、ジグソーパズル１００は、高い拡張性を有することにより遊び方を多様に拡げることができる。
【００１６】
図２、図３を参照してピース１０について説明する。図２は、ピース１０の平面図である。図３は、ピース１０の側面図である。ピース１０は、ＸＹ平面に延在してＺ軸方向に薄い板状の部材である。ピース１０は、平面視で矩形のピース本体部１０ｂと、２つの凸部１０ｈと、２つの凹部１０ｊと、を有する。ピース本体部１０ｂは、各辺からＺ軸方向に延在する４つの側面１０ｃ、１０ｄ、１０ｅ、１０ｆを有する。側面１０ｃと側面１０ｅとは、Ｘ軸方向に沿って互いに平行に設けられる。側面１０ｄと側面１０ｆとは、Ｙ軸方向に沿って互いに平行に設けられる。
【００１７】
各凸部１０ｈは、ピース本体部１０ｂの側面から外向きに突出して設けられる。この例では、一方の凸部１０ｈは、側面１０ｃからＹ軸方向に突出し、他方の凸部１０ｈは、側面１０ｆからＸ軸方向に突出している。各凹部１０ｊは、ピース本体部１０ｂの側面から内向きに凹むように設けられる。一方の凹部１０ｊは、側面１０ｅからＹ軸方向に凹み、他方の凹部１０ｊは、側面１０ｄＸ軸方向に凹んでいる。凸部１０ｈは、凹部１０ｊに対して繰り返し係脱可能な形状を有する。
【００１８】
次に、図４を参照して比較例について説明する。図４は、比較例に係るピース５０を説明する図である。ピース５０は、本発明を完成する過程で創作されたピースである。ピース５０は、ピース１０に対して平面視の形状が異なる点で相違し、他の構成は同様である。ピース５０は、平面視で矩形のピース本体部５０ｂと、２つの凸部５０ｈと、２つの凹部５０ｊと、を有する。各凸部５０ｈは、ピース本体部５０ｂから外向きに突出し、各凹部５０ｊはピース本体部５０ｂから内向きに凹んでいる。以下、凸部５０ｈと凹部５０ｊを総称するときは「凸部等」と表記する。図４に示すように、ピース５０には庭付きの住宅の絵柄５０ｐが設けられている。
【００１９】
絵柄５０ｐが凹部５０ｊに掛ると、その部分で絵柄５０ｐが分断される。例えば住宅の絵柄５０ｐが分断されると、他のピースの絵柄を連結した際に不自然となり、ユーザに違和感を与えるおそれがある。このため、絵柄５０ｐは、主に、ピース本体部５０ｂ内に設けられた表示領域５０ｑの中に配置される。この例では、表示領域５０ｑは矩形状の領域である。製造上の誤差により、凸部等の位置に対する絵柄５０ｐの位置がずれることが考えられる。このため、表示領域５０ｑはピース本体部５０ｂの各辺から内側の領域に設けられる。
【００２０】
つまり、表示領域５０ｑは、凸部等によって制限され、凸部等が大きい場合には、その分だけ表示領域５０ｑが縮小される。換言すると、比較例では、凸部等に対するピース本体部５０ｂの比率が小さいため、表示領域５０ｑが縮小されている。表示領域５０ｑが小さい場合、絵柄５０ｐも小さくなり、それだけ絵柄の明瞭度や細密性が低下し印象が弱くなる可能性がある。印象が弱い場合は、子供たちは興味を持ちにくくなることがあり、普及の障害となり得る。また、このピース５０を連結すると、隣り合う絵柄５０ｐとの中間領域５０ｓが間延びして違和感を与える可能性がある。例えば、商店街や繁華街などの街並みを表現する場合に、現実の建物同士の隙間は僅かであり、中間領域５０ｓが広すぎると現実の街並みとの比較で強い違和感を生じる。また、大きな中間領域５０ｓを前提に絵柄をデザインすることになるため、絵柄のデザインの自由度が低下する。
【００２１】
比較例の検討結果を踏まえて実施の形態のピース１０について説明する。図５は、本実施形態に係るピース１０を説明する図である。以下、凸部１０ｈと凹部１０ｊを総称するときは比較例と同様に「凸部等」と表記する。図５に示すように、ピース１０の表示領域１０ｑには庭付きの住宅の絵柄１０ｐが設けられている。ピース１０では、全長と全幅がピース５０と同じで、凸部等はピース５０より小さく、ピース本体部１０ｂはピース５０より大きい。したがって、隣り合う絵柄１０ｐの中間領域１０ｓはピース５０より小さい。
【００２２】
表示領域１０ｑを大きくする観点から、凸部等に対するピース本体部の比率は大きいことが望ましい。そこで、実施の形態では、凸部１０ｈの突出方向において、ピース本体部１０ｂの寸法ａ１は、凸部１０ｈの突出寸法ａ２の８倍以上に形成される。この範囲では表示領域１０ｑが拡大され、絵柄１０ｐの印象が強化される。また、中間領域１０ｓの割合が減るため、その違和感が緩和され、絵柄１０ｐのデザインの自由度が改善される。
【００２３】
寸法ａ１の突出寸法ａ２に対する比率が大きすぎると、凸部１０ｈが小さくなり、ピース同士の連結強度が低下するおそれがある。そこで、実施の形態では、寸法ａ１は、突出寸法ａ２の２０倍以下に形成される。この場合、連結強度は実用可能な範囲内であることが確認されている。図５の例では、寸法ａ１は、突出寸法ａ２の９倍から１２倍の範囲に設定されている。
【００２４】
突出寸法ａ２が小さい場合、連結強度の低下を補うように、凸部１０ｈの横幅ａ３を大きくすることが望ましい。そこで、実施の形態では、横幅ａ３は突出寸法ａ２の３倍以上に形成されている。
【００２５】
凸部１０ｈの折曲げ強度を高めるために、横幅ａ３は突出寸法ａ２の４倍以上に形成されてもよい。
【００２６】
凹部１０ｊを挟む両側の部分を脚部１０ｋと表記する。凸部１０ｈの横幅ａ３が大きすぎると、同様に凹部１０ｊの横幅も大きくなり、それに応じて脚部１０ｋの横幅が小さくなる。脚部１０ｋの横幅が過度に小さくなると脚部１０ｋの強度が低下する。そこで、実施の形態では、横幅ａ３は突出寸法ａ２の１０倍以下に形成される。この場合、脚部１０ｋの強度は実用可能な範囲内であることが確認されている。図５の例では、横幅ａ３は突出寸法ａ２の４倍から８倍の範囲に設定されている。
【００２７】
次に、図６、図７を参照してピース１０の詳細な形状について説明する。まず、凸部１０ｈの形状について説明する。図６は、ピース１０の凸部１０ｈの周辺を拡大して示す平面図である。なお、以下、凸部１０ｈの突出方向を突出方向Ｐと、突出方向Ｐに直交する方向を横幅方向Ｒという。
【００２８】
凸部１０ｈは、首部１４ｎと、頭部１４ｍと、を含む。横幅方向Ｒの寸法において、首部１４ｎは、頭部１４ｍより小さく形成される。凸部１０ｈは、その根本に横幅方向Ｒにくびれた一対のくびれ部１４ｂを有する。一対のくびれ部１４ｂは、凸部１０ｈの根本の両側から続く部分であり、ピース本体部１０ｂの側面１０ｃ、１０ｆに接続される。首部１４ｎは、一対のくびれ部１４ｂの間の部分である。頭部１４ｍは、首部１４ｎから突出方向Ｐから張出した部分である。つまり、頭部１４ｍは、一対のくびれ部１４ｂに挟まれた部分である。
【００２９】
頭部１４ｍは、一対のふくらみ部１４ｄと、平坦部１４ｅと、によって規定される部分である。一対のふくらみ部１４ｄは、各くびれ部１４ｂに続く部分である。平坦部１４ｅは、一対のふくらみ部１４で挟まれる部分である。各くびれ部１４ｂは、横幅方向Ｒに凹んだＲ形状または部分円弧形状であってもよい。各ふくらみ部１４ｄは、横幅方向Ｒに張り出したＲ形状または部分円弧形状であってもよい。ふくらみ部１４ｄは、凸部１０ｈにおいて横幅方向Ｒに最も張り出した部分である。
【００３０】
平坦部１４ｅは、凸部１０ｈの突出端であり、ピース本体部１０ｂから突出方向Ｐに最も離れて位置する。平坦部１４ｅは、ピース本体部１０ｂの側面１０ｃ、１０ｆに略平行に延在する概ね平坦な部分である。
【００３１】
ふくらみ部１４ｄとくびれ部１４ｂとの間において略直線状に延びる部分を傾斜部１４ｃと定義する。傾斜部１４ｃは、各ふくらみ部１４ｄと各くびれ部１４ｂの間に延在し、ピース本体部１０ｂの側面に対して傾斜する部分である。図６に示すように、傾斜部１４ｃがピース本体部１０ｂの側面１０ｃ、１０ｆとなす角度Ａｎは鋭角にされる。この例では、角度Ａｎは３０°〜６０°の範囲に設定される。角度Ａｎは任意の角度であってもよい。
【００３２】
次に、凹部１０ｊの形状について説明する。図７は、凹部１０ｊの周辺を拡大して示す平面図である。凹部１０ｊは、凸部１０ｈの頭部１４ｍに対応する湾状部１６ｍと、凸部１０ｈの首部１４ｎに対応する湾口部１６ｎと、を有する。なお、対応する部分とは、凹部１０ｊに別のピースの凸部１０ｈが嵌合するとき互いに当接する部分をいう。凹部１０ｊは凸部１０ｈと相似する平面輪郭を有している。
【００３３】
横幅方向Ｒの寸法において、湾口部１６ｎは、湾状部１６ｍより小さく形成される。このような形状を有することにより、頭部１４ｍは、湾状部１６ｍに嵌め合わされた状態では、Ｘ軸方向およびＹ軸方向の動きが規制される。
【００３４】
次に、凸部１０ｈおよび凹部１０ｊの寸法差について説明する。横幅方向Ｒの寸法における、頭部１４ｍの最大寸法を横幅Ｌｍ１と、湾状部１６ｍの最大寸法を横幅Ｌｍ２と定義する。凸部１０ｈの横幅Ｌｍ１が、凹部１０ｊの横幅Ｌｍ２と同じかまたは小さい場合、凸部１０ｈは凹部１０ｊから容易に外れてしまう。この場合、組立てられた組立体８０を持ち上げたときに、ピース１０同士の連結を維持できず、組立体８０が崩れてしまう。そこで、実施の形態では、凸部１０ｈの横幅Ｌｍ１は、凹部１０ｊの横幅Ｌｍ２より大きく形成されている。この場合、凹部１０ｊに別のピース１０の凸部１０ｈが嵌合するとき、頭部１４ｍと湾状部１６ｍの当接面には圧縮応力が与えられて大きな摩擦力を生じる。このため、これらは容易には外れず、組立てられた組立体８０を持ち上げてもピース１０同士の連結状態を維持できる。横幅Ｌｍ１と横幅Ｌｍ２との寸法差Ｌｍ１２については後述する。
【００３５】
横幅方向Ｒの寸法において、凸部１０ｈの首部１４ｎの最小寸法を横幅Ｌｎ１と、凹部１０ｊの湾口部１６ｎの最小寸法を横幅Ｌｎ２と定義する。凸部１０ｈの首部１４ｎにおいても連結強度を高めることが望ましい。そこで、実施の形態では、凸部１０ｈの横幅Ｌｎ１は、凹部１０ｊの横幅Ｌｎ２より大きく形成されている。この場合、凹部１０ｊに別のピース１０の凸部１０ｈが嵌合するとき、首部１４ｎと湾口部１６ｎの当接面には圧縮応力が与えられて大きな摩擦力を生じる。このため、組立てられた組立体８０のピース１０同士の連結強度を高めることができる。横幅Ｌｎ１と横幅Ｌｎ２との寸法差Ｌｎ１２については後述する。
【００３６】
次に、ピース１０の素材について説明する。ピース同士の当接面に安定した圧縮応力を生じさせるために、ピース１０は柔軟性を有する素材で形成されることが望ましい。このような素材としてはポリプロピレン、ポリ塩化ビニル、ポリエチレン、ポリスチレン及びポリエチレンテレフタレートなどの軟質樹脂があげられる。ピース１０は、所望の特性に応じて、これらの樹脂から選択した一種以上の樹脂を主成分とする素材から形成することができる。この素材は発泡樹脂であってもよい。この場合、発泡倍率を調整することにより、所望の密度および弾性率を得ることができる。
【００３７】
次に、これらの樹脂から形成される場合のピース１０の寸法差Ｌｍ１２、Ｌｎ１２の一例を説明する。以下、寸法差Ｌｍ１２、Ｌｎ１２、を総称するときは、単に「寸法差Ｌｍｎ」という。寸法差Ｌｍｎが小さすぎると、所望の連結強度を得ることができない。また、寸法差Ｌｍｎが大きすぎると、子供の力でパズルを組立てたり、分解したりすることが難しい。これらの観点から、寸法差Ｌｍｎは、好ましくは０．０４ｍｍ〜０．２０ｍｍの範囲、より好ましくは０．０５ｍｍ〜０．１５ｍｍの範囲、一層好ましくは０．０７ｍｍ〜０．１３ｍｍの範囲に設定されてもよい。この場合、子供でも組立・分解をすることができ、所望の連結強度を得ることができる。
【００３８】
寸法差Ｌｍ１２、Ｌｎ１２は、それぞれ同じであってもよいし、それぞれ異なっていてもよい。実施の形態ではこれらは同じに設定されている。寸法差Ｌｍｎは、ピース１０の素材に応じて所望の連結強度を得るように、実験により決定することができる。
【００３９】
次に、ピース１０の製造方法の一例を説明する。図８は、ピース１０の製造方法の一例を説明する図である。ピース１０の製造法としては、打ち抜き工程と樹脂成形工程とを例示することができる。図８の例では、ピース１０は、所定の倍率および所定の厚さを有する樹脂製のベースシート２０から、順次打ち抜いて製造される。この場合、上述の寸法差Ｌｍｎを実現することができる。別の例では、ピース１０は、射出成形により製造される。
【００４０】
次に、このように構成されたピース１０について、ピース１０の厚さと寸法差を変化させた試料１、２の特性について説明する。図９は、ジグソーパズル１００の組立体８０を持上げた状態を示す図である。ジグソーパズル１００では、一定の数以下のピースで組立てられた組立体８０を持上げることができる。図１０は、ジグソーパズル１００の組立体８０の評価結果を説明する図である。この図で、行数および列数は、マトリックス状に連結されたピース１０の数を示す。ピース数は、組立体８０を構成するピース１０の数を示す。評価結果は、このように構成された組立体８０を図９に示すように持ち上げた場合の連結状態を示している。この結果は、組立体８０の持ち上げを３回試行し、ピース間の連結が外れずに持上げられた回数を示している。
【００４１】
図１０において、◎印は、３回成功し、持上げた状態で中央部の垂れ下がりは殆ど見られない場合を示す。〇印は、３回成功し、持上げた状態で中央部の垂れ下がりが見られる場合を示す。△印は、成功回数は２回以下、持上げた状態で中央部の垂れ下がりが大きい場合を示す。×印は、成功回数は０回の場合を示す。
【００４２】
（試料１）
ピース１０の厚さ：２．０〜３．０ｍｍ
寸法差Ｌｍｎ：０．０７ｍｍ〜０．１３ｍｍ
ピース数＝４００個以下では、成功回数は３回、垂れ下がりは殆ど見られない。
ピース数＝１６００個では、成功回数は３回、垂れ下がりが観察された。
ピース数＝２０２５個では、成功回数は１回、その場合も中央部の垂れ下がりが大きい。
ピース数＝２５００個では、成功回数は０回であった。
この結果から、試料１は、１０００個程度のピース１０からなる組立体８０を持ち上げる場合に好適に使用できる。
【００４３】
（試料２）
ピース１０の厚さ：１．５〜２．０ｍｍ
寸法差Ｌｍｎ：０．０４ｍｍ〜０．０６ｍｍ
ピース数＝１００個では、成功回数は３回、垂れ下がりは殆ど見られない。
ピース数＝４００個では、成功回数は３回、中央部の垂れ下がりが観察された。
ピース数＝９００個では、成功回数は１回、その場合も中央部の垂れ下がりが大きい。
ピース数＝１６００個以上では、成功回数は０回であった。
この結果から、試料２は、１００〜４００個の範囲のピース１０からなる組立体８０を持ち上げる場合に好適に使用できる。
【００４４】
次に、本発明の一態様の概要について説明する。本発明のある態様のジグソーパズルは、凸部と凹部とが嵌合して連結される、複数の同一形状のピースを含むジグソーパズルであって、ピース本体部を有し、凸部はピース本体部から突出方向に突出するように設けられ、ピース本体部の突出方向の寸法は、凸部の突出寸法の８倍以上である。
【００４５】
この態様によると、ピース本体部を大きくして大きな絵柄を設けることができる。絵柄が大きいため、絵柄の明瞭化や細密化を図ることができる。ピースを連結した場合に、隣り合う絵柄との中間領域が減って間延びした感覚を緩和することができる。街並みを表現する場合に、現実の建物同士の隙間に近づけることが可能になる。絵柄のデザインの自由度を高めることができる。
【００４６】
凸部の横幅は、突出寸法の３倍以上であってもよい。この場合、ピース同士の連結強度の低下を抑制することができる。
【００４７】
凸部はその根本の両側から続く、ふたつのくびれ部と、ふたつのくびれ部で挟まれる頭部とを含み、頭部の横幅は、凹部の横幅よりも大きくしてもよい。この場合、ピース同士の連結強度を高めることができる。
【００４８】
以上、本発明の幾つかの実施の形態をもとに説明した。これらの各実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００４９】
以下、変形例について説明する。変形例の図面および説明では、各実施の形態と同一または同等の構成要素、部材には、同一の符号を付する。各実施の形態と重複する説明を適宜省略し、各実施の形態と相違する構成について重点的に説明する。
【００５０】
（変形例）
実施の形態の説明では、表示領域１０ｑに絵柄１０ｐが設けられる例を示したが、本発明はこれに限定されない。絵柄１０ｐの一部が中間領域１０ｓにはみだしてもよいし、絵柄１０ｐの背景が中間領域１０ｓに張出していてもよい。また、絵柄１０ｐの一部が凸部１０ｈにはみだしてもよいし、絵柄１０ｐの背景が凸部１０ｈに張出していてもよい。
【００５１】
実施の形態の説明では、ピース１０が単層の樹脂から形成される例を示したが、本発明はこれに限定されない。ピース１０は、硬度の異なる複数の樹脂の層構造を備えてもよい。一例として、ピース１０は、２枚の高硬度表面層の間に相対的に低硬度の中間層が挟まれた構造を有してもよい。
【００５２】
実施の形態の説明では、ジグソーパズル１００が同一形状のピース１０のみから構成される例を示したが、本発明はこれに限定されない。ジグソーパズル１００は、ピース１０により構成される部分と、ピース１０とは形状の異なる別型ピースから形成される部分とを含んでもよい。例えば、ピース１０により構成された部分の周辺に別型ピースを連結して、周囲の凹凸を減らすようにしてもよい。
【００５３】
実施の形態の説明では、ピースが平面上に組み立てられる例を示したが、本発明はこれに限定されない。本発明に係るジグソーパズルは、曲面上に組み立てられてもよい。
【００５４】
実施の形態の説明では、台紙や枠を用いない例を示したが、本発明はこれに限定されない。本発明に係るジグソーパズルは、台紙や枠と組み合わせて使用されてもよい。
【００５５】
これらの各変形例は、実施の形態のジグソーパズル１００と同様の作用効果を奏する。
【符号の説明】
【００５６】
１０・・ピース、  １０ｂ・・ピース本体部、  １０ｈ・・凸部、  １０ｊ・・凹部、  １４ｂ・・くびれ部、  １４ｍ・・頭部、  １４ｎ・・首部、  １６ｍ・・湾状部、  １６ｎ・・湾口部、  ２０・・ベースシート、  ８０・・組立体、  １００・・ジグソーパズル。
【図１】
2019187563.tif 000003
【図２】
2019187563.tif 000004
【図３】
2019187563.tif 000005
【図４】
2019187563.tif 000006
【図５】
2019187563.tif 000007
【図６】
2019187563.tif 000008
【図７】
2019187563.tif 000009
【図８】
2019187563.tif 000010
【図９】
2019187563.tif 000011
【図１０】
2019187563.tif 000012